(57)【要約】【目的】  本発明は椅子に簡単に後付けできるテーブルを得る。【構成】  テーブルＴ１は椅子ＣのＸ字状に立体的に交差した第１、第２ポール１１ａ、１１ｂに着脱可能であって、テーブル本体１００及びこれにＹ−Ｙ’方向に間隔をあけて設けられた第１、第２フック２００ａ、２００ｂを備えている。第１フック２００ａの第１係合凹部２１０ａは第１フック２００ａをＺ−Ｚ’方向に貫通し且つＹ方向に開口し、第２フック２００ｂの第２係合凹部２１０ｂは第２フック２００ｂをＺ−Ｚ’方向に貫通し且つＹ’方向に開口している。第１係合凹部２１０ａ内に第１ポール１１ａが、第２係合凹部２１０ｂ内に第２ポール１１ｂが各々係合可能となるように、Ｘ−Ｘ’方向で第２係合凹部２１０ｂが第１係合凹部２１０ａよりも少なくとも第１ポール１１ａの短手方向の寸法分、第２ポール１１ｂ側に位置している。【選択図】      図１Ａ
2018019964.tif 000002
【特許請求の範囲】
【請求項１】
椅子のＸ字状に互いに交差した第１ポール及び第２ポールに着脱可能であるテーブルであって、
テーブル本体と、
前記テーブル本体に、当該テーブル本体の厚み方向に交差する第１方向に間隔をあけて設けられた第１フック及び第２フックとを備えており、
前記第１フックは、前記第２フックに対して前記第１方向の一方側に位置しており、且つ前記第１ポールに係合可能な第１係合凹部を有しており、前記第１係合凹部は、前記第１フックを前記テーブル本体の前記厚み方向である第２方向において貫通しており、且つ前記第１方向の一方に開口しており、
前記第２フックは、前記第１フックに対して前記第１方向の他方側に位置しており、且つ前記第２ポールに係合可能な第２係合凹部を有しており、前記第２係合凹部は、前記第２フックを前記第２方向において貫通しており、且つ前記第１方向の他方に開口しているテーブル。
【請求項２】
請求項１記載のテーブルにおいて、
前記第１ポール及び前記第２ポールが立体的に交差しており、
前記第１係合凹部内に前記第１ポールが、前記第２係合凹部内に前記第２ポールが各々係合可能となるように、第３方向において前記第２係合凹部が前記第１係合凹部よりも少なくとも前記第１ポールの短手方向の寸法分、前記第２ポール側に位置しており、
前記第３方向は、前記第１方向及び前記第２方向に交差しており且つ前記第１方向及び前記第２方向が位置する平面上に位置しない方向であるテーブル。
【請求項３】
請求項１又は２記載のテーブルにおいて、
前記第１フック及び前記第２フックは、前記テーブル本体に沿って延びているテーブル。
【請求項４】
請求項１〜３の何れかに記載のテーブルにおいて、
前記第１フックは、第１当接部を更に有し、前記第１当接部は、前記第１係合凹部の第３方向の一方の端面及び前記第３方向の他方の端面のうち、その間の間隔が前記第１ポールの短手方向の寸法と略同じ又は若干小さい部分を有し、且つ前記第１係合凹部内に挿入された前記第１ポールに当接可能であり、
前記第２フックは、第２当接部を更に有し、前記第２当接部は、前記第２係合凹部の前記第３方向の一方の端面及び前記第３方向の他方の端面のうち、その間の間隔が前記第２ポールの短手方向の寸法と略同じ又は若干小さい部分を有し、且つ前記第２係合凹部内に挿入された前記第２ポールに当接可能であり、
前記第３方向は、前記第１方向及び前記第２方向に交差しており且つ前記第１方向及び前記第２方向が位置する平面上に位置しない方向であるテーブル。
【請求項５】
請求項４記載のテーブルにおいて、
前記第１当接部は、前記第１係合凹部の前記第１方向の他方の端部を更に有し、
前記第２当接部は、前記第２係合凹部の前記第１方向の一方の端部を更に有しているテーブル。
【請求項６】
椅子の脚部のＸ字状に互いに立体的に交差した第１ポール及び第２ポールに着脱可能であるテーブルであって、
テーブル本体と、
前記テーブル本体に、当該テーブル本体の厚み方向に交差する第１方向に間隔をあけて設けられた第１フック及び第２フックとを備えており、
前記第１フックは、第１係合凹部を有しており、第１係合凹部は、前記第１フックを前記第１方向において貫通しており且つ前記テーブル本体の前記厚み方向である第２方向の一方に開口しており、
前記第２フックは、第２係合凹部を有しており、前記第２係合凹部は、前記第２フックを前記第１方向において貫通しており且つ前記第２方向の一方に開口しており、
前記第１係合凹部内に前記第１ポールが、前記第２係合凹部内に前記第２ポールが各々係合可能となるように、第３方向において前記第２係合凹部が前記第１係合凹部よりも少なくとも前記第１ポールの短手方向の寸法分、前記第２ポール側に位置しており、
前記第３方向は、前記第１方向及び前記第２方向に交差しており且つ前記第１方向及び前記第２方向が位置する平面上に位置しない方向であるテーブル。
【請求項７】
Ｘ字状に互いに交差した第１ポール及び第２ポールを有する脚部と、
請求項１〜６の何れかに記載のテーブルとを備えている椅子。
【発明の詳細な説明】
【技術分野】
【０００１】
本発明は、テーブル及びこれを備えた椅子に関する。
【背景技術】
【０００２】
下記特許文献１には、サイドテーブル付きの椅子が記載されている。このサイドテーブルは、展開位置と収納位置との間で回動自在となりように椅子の側面フレームに取り付けられている。展開位置は、サイドテーブルが地面と略水平となる位置であり、収納位置は、サイドテーブルが椅子の側面フレームに沿う位置である。
【先行技術文献】
【特許文献】
【０００３】
【特許文献１】実用新案登録３０５５４８３号公報
【発明の概要】
【発明が解決しようとする課題】
【０００４】
ところで、この種の椅子はサイドテーブルを備えていないものが多数存在する。この椅子にテーブルを後付けすることが望まれている。
【０００５】
本発明は、上記事情に鑑みて創案されたものであって、その目的とするところは、椅子に簡単に後付けできるテーブル及びこれを備えた椅子を提供することにある。
【課題を解決するための手段】
【０００６】
上記課題を解決するために、本発明の一態様のテーブルは、椅子のＸ字状に互いに交差した第１ポール及び第２ポールに着脱可能である。このテーブルは、テーブル本体と、第１フックと、第２フックとを備えている。第１フック及び第２フックは、テーブル本体に第１方向に間隔をあけて設けられている。第１方向は、テーブル本体の厚み方向に交差している。第１フックは、第２フックに対して第１方向の一方側に位置しており、且つ第１ポールに係合可能な第１係合凹部を有している。第１係合凹部は、第１フックをテーブル本体の厚み方向である第２方向において貫通しており、且つ第１方向の一方に開口している。第２フックは、第１フックに対して第１方向の他方側に位置しており、且つ第２ポールに係合可能な第２係合凹部を有している。第２係合凹部は、第２フックを第２方向において貫通しており、且つ第１方向の他方に開口している。
【０００７】
このような態様のテーブルは、第１係合凹部内に第１ポールを、第２係合凹部内に第２ポールを各々係合させるだけで、椅子に対して簡単に後付けできる。
【０００８】
第１ポール及び第２ポールが立体的に交差していても良い。この場合、第１係合凹部内に第１ポールが、第２係合凹部内に第２ポールが各々係合可能となるように、第３方向において第２係合凹部が第１係合凹部よりも少なくとも第１ポールの短手方向の寸法分、第２ポール側に位置している。第３方向は、第１ポール及び第２ポールの並び方向であって、第１方向及び第２方向に交差している。
【０００９】
このような態様のテーブルは、第１ポール及び第２ポールが立体的に交差していたとしても、第１係合凹部内に第１ポールを、第２係合凹部内に第２ポールを各々係合させ、椅子に対して簡単に後付けできる。
【００１０】
第１フック及び第２フックは、テーブル本体に沿って延びた構成とすることが可能である。このような態様のテーブルは、その厚み寸法を低減することができる。
【００１１】
第１フックは、第１当接部を更に有する構成とすることが可能である。第２フックは、第２当接部を更に有する構成とすることが可能である。
【００１２】
第１当接部は、第１係合凹部の第３方向の一方の端面及び第３方向の他方の端面のうち、その間の間隔が第１ポールの短手方向の寸法と略同じ又は若干小さい部分を有し、且つ第１係合凹部内に挿入された第１ポールに当接可能な構成とすることが可能である。第２当接部は、第２係合凹部の第３方向の一方の端面及び第３方向の他方の端面のうち、その間の間隔が第２ポールの短手方向の寸法と略同じ又は若干小さい部分を有し、且つ第２係合凹部内に挿入された第２ポールに当接可能な構成とすることが可能である。このような態様の蓋は、第１ポール及び第２ポールに支持された状態が安定する。第１当接部が第３方向の両側から第１ポールに当接し、第２当接部が第３方向の両側から第２ポールに当接するためである。
【００１３】
第１当接部は、第１係合凹部の第１方向の他方の端部を更に有する構成とすることが可能である。第２当接部は、第２係合凹部の第１方向の一方の端部を更に有する構成とすることが可能である。なお、第１当接部は、第１係合凹部の第１方向の他方の端部のみを有する構成とすることが可能である。第２当接部は、第２係合凹部の第１方向の一方の端部をのみ有する構成とすることが可能である。
【００１４】
本発明の別の態様のテーブルは、椅子のＸ字状に互いに立体的に交差した第１ポール及び第２ポールに着脱可能である。このテーブルは、テーブル本体と、第１フックと、第２フックとを備えている。第１フック及び第２フックは、テーブル本体に第１方向に間隔をあけて設けられている。第１方向は、テーブル本体の厚み方向に交差している。第１フックは、第１係合凹部を有している。第１係合凹部は、第１フックを第１方向において貫通しており且つテーブル本体の厚み方向である第２方向の一方に開口している。第２フックは、第２係合凹部を有している。第２係合凹部は、第２フックを第１方向において貫通しており且つ第２方向の一方に開口している。第１係合凹部内に第１ポールが、第２係合凹部内に第２ポールが係合可能となるように、第３方向において第２係合凹部が第１係合凹部よりも少なくとも第１ポールの短手方向の寸法分、第２ポール側に位置している。第３方向は、第１ポール及び第２ポールの並び方向であって、第１方向及び第２方向に交差している。
【００１５】
このような態様のテーブルによる場合、第１係合凹部内に第１ポールを、第２係合凹部内に第２ポールを各々係合させるだけで、椅子に対して簡単に後付けできる。
【００１６】
第１フック及び第２フックは、第２方向に延びた構成とすることが可能である。なお、第１フックが上記何れかの態様の第１当接部を更に有し、第２フックが上記何れかの態様の第２当接部を更に有する構成とすることが可能である。
【００１７】
本発明の一態様の椅子は、脚部と、上記した何れかの態様のテーブルとを備えている。脚部は、Ｘ字状に互いに交差した第１ポール及び第２ポールを有している。
【図面の簡単な説明】
【００１８】
【図１Ａ】本発明の実施例１に係るテーブル及びこれが取り付けられた椅子の概略的斜視図である。
【図１Ｂ】前記テーブル及び前記椅子のＸ字脚の概略的部分拡大斜視図である。
【図２Ａ】前記椅子の４つのＸ字脚の配置関係を説明するための説明図である。
【図２Ｂ】前記椅子の２つのＸ字脚及び連結棒の配置関係を説明するための説明図である。
【図２Ｃ】前記椅子の２つのＸ字脚及び連結棒の別の配置関係を説明するための説明図である。
【図３Ａ】前記テーブルの正面、平面及び右側面から表した斜視図である。
【図３Ｂ】前記テーブルの背面、底面及び左側面から表した斜視図である。
【図３Ｃ】前記テーブルの平面図であって、当該テーブルの第１フックの第１係合凹部と椅子の第１ポールとの関係、及び第２フックの第２係合凹部と第２ポールとの関係を説明するための図である。
【図４Ａ】本発明の実施例２に係るテーブルの正面、平面及び右側面から表した斜視図である。
【図４Ｂ】前記テーブルの前記設計変更例の背面、底面及び左側面から表した斜視図である。
【発明を実施するための形態】
【００１９】
以下、本発明の複数の実施例について説明する。
【実施例１】
【００２０】
以下、本発明の複数の実施例に係るテーブルＴ１及びこれが取り付けられる椅子Ｃについて図１〜図３Ｃを参照しつつ詳しく説明する。なお、図１〜２Ａ及び図３Ａ〜図３Ｃでは、前記実施例のうちの一つの実施例（実施例１）のテーブルＴ１及び椅子Ｃが示されている。
【００２１】
椅子Ｃは、脚部１０と、座面部２０とを備えている。脚部１０は、少なくとも一つのＸ字脚１１を備えていると良い。Ｘ字脚１１が、互いにＸ字状（卍字状を含む。）に立体的に交差する第１ポール１１ａ及び第２ポール１１ｂを有している。第１ポール１１ａ及び第２ポール１１ｂは、円柱状又は多角柱状とすることが可能である。第１ポール１１ａ及び第２ポール１１ｂは、円弧状に湾曲したり、部分的に折り曲げられていたりしても良い。
【００２２】
例えば、脚部１０は、下記の１）又は２）の構成とすることが可能である。１）脚部１０は、図１及び図２Ａに示されるように、四つのＸ字脚１１を備えた構成とすることが可能である。この場合、Ｘ字脚１１は、第１Ｘ字脚１１、第２Ｘ字脚１１、第３Ｘ字脚１１及び第４Ｘ字脚１１を含んでいる。第１Ｘ字脚１１及び第２Ｘ字脚１１は、脚部１０の前面、背面に、第３Ｘ字脚１１及び第４Ｘ字脚１１は脚部１０の右側面、左側面に配置可能である。第１Ｘ字脚１１の第１ポール１１ａの上端部と第３Ｘ字脚１１の第２ポール１１ｂの上端部とが上側連結具で連結され、第１Ｘ字脚１１の第２ポール１１ｂの下端部と第３Ｘ字脚１１の第１ポール１１ａの下端部とが下側連結具で連結されている。第３Ｘ字脚１１の第１ポール１１ａの上端部と第２Ｘ字脚１１の第２ポール１１ｂの上端部とが上側連結具で連結され、第３Ｘ字脚１１の第２ポール１１ｂの下端部と第２Ｘ字脚１１の第１ポール１１ａの下端部とが下側連結具で連結されている。第２Ｘ字脚１１の第１ポール１１ａの上端部と第４Ｘ字脚１１の第２ポール１１ｂの上端部とが上側連結具で連結され、第２Ｘ字脚１１の第２ポール１１ｂの下端部と第４Ｘ字脚１１の第１ポール１１ａの下端部とが下側連結具で連結されている。第４Ｘ字脚１１の第１ポール１１ａの上端部と第１Ｘ字脚１１の第２ポール１１ｂの上端部とが上側連結具で連結され、第４Ｘ字脚１１の第２ポール１１ｂの下端部と第１Ｘ字脚１１の第１ポール１１ａの下端部とが下側連結具で連結されている。
【００２３】
１）の場合、第１Ｘ字脚１１、第２Ｘ字脚１１、第３Ｘ字脚１１及び第４Ｘ字脚１１は、第１ポール１１ａ及び第２ポール１１ｂの交差部が回動可能に連結され、且つ上記した各ポールの上端部、下端部が上側連結具、下側連結具に回動可能に各々連結されていても良い。この場合、四つのＸ字脚１１が前記交差部を支点に開くと共に各ポールの上端部、下端部が回動することによって、椅子Ｃの脚部１０が前後左右に展開し、四つのＸ字脚１１が前記交差部を支点に閉じると共に各ポールの上端部、下端部が回動することによって、椅子Ｃの脚部１０が前後左右に折り畳まれる。
【００２４】
２）脚部１０は、二つのＸ字脚１１と、連結部とを備えている。この場合、Ｘ字脚１１は、第１Ｘ字脚１１及び第２Ｘ字脚１１を含んでいる。第１Ｘ字脚１１及び第２Ｘ字脚１１は、脚部１０の右側面、左側面又は脚部１０の前面、背面に配置可能である。
【００２５】
連結部は、第１Ｘ字脚１１と第２Ｘ字脚１１とを連結するものであれば良い。例えば、下記２−１）〜２−２）の何れかの構成とすることが可能である。２−１）連結部は、図２Ｂに示されるように、第１Ｘ字脚１１の第１ポール１１ａの上端部と第２Ｘ字脚１１の第１ポール１１ａの上端部との間及び第１Ｘ字脚１１の第１ポール１１ａの下端部と第２Ｘ字脚１１の第１ポール１１ａの下端部との間の少なくとも一方を連結する少なくとも一つの第１連結棒１１ｃと、第１Ｘ字脚１１の第２ポール１１ｂの上端部と第２Ｘ字脚１１の第２ポール１１ｂの上端部との間及び第１Ｘ字脚１１の第２ポール１１ｂの下端部と第２Ｘ字脚１１の第２ポール１１ｂの下端部との間の少なくとも一方を連結する少なくとも一つの第２連結棒１１ｄとを有している。
【００２６】
２−２）連結部は、図２Ｃに示されるように、第１Ｘ字脚１１の第１ポール１１ａと第２ポール１１ｂとの交差部と、第２Ｘ字脚１１の第１ポール１１ａと第２ポール１１ｂとの交差部とを連結する連結棒１１ｅを有する構成とすることが可能である。
【００２７】
２）の場合、第１Ｘ字脚１１及び第２Ｘ字脚１１は、第１ポール１１ａ及び第２ポール１１ｂの交差部が回動可能に連結されていても良い。この場合、第１Ｘ字脚１１及び第２Ｘ字脚１１が前記交差部を支点に開くことによって、椅子Ｃの脚部１０が前後又は左右に展開し、第１Ｘ字脚１１及び第２Ｘ字脚１１が前記交差部を支点に閉じることによって、椅子Ｃの脚部１０が前後又は左右に折り畳まれる。
【００２８】
座面部２０は、脚部１０に支持される可撓性を有するシート又はリジットな板等である。椅子Ｃの脚部１０が上記１）の構成であり且つ折り畳み可能である場合には、座面部２０は可撓性を有するシートであると良い。
【００２９】
椅子Ｃは、背もたれ部３０を更に備えた構成とすることが可能である。背もたれ部３０は、可撓性を有するシート又はリジットな板等である。前者の場合、背もたれ部３０は、座面部２０に連続する構成とすることが可能である。すなわち、背もたれ部３０及び座面部２０が、可撓性を有する一枚のシートで構成することが可能である。勿論、背もたれ部３０及び座面部２０は、図１Ａに示されるように、可撓性を有する異なるシートで構成されていても良い。
【００３０】
椅子Ｃが背もたれ部３０を更に備えている場合、脚部１０は背もたれ支持部１２を更に備えた構成とすることが可能である。背もたれ支持部１２は、背もたれ部３０を支持し得るものであればよい。例えば、下記の１）〜４）の何れかの通りの構成とすることが可能である。なお、背もたれ部３０及び背もたれ支持部１２は省略可能である。
【００３１】
１）脚部１０が、その左右側面にＸ字脚１１を有している場合、背もたれ支持部１２は、第１支持ポール及び第２支持ポールを有している。この場合、第１支持ポール及び第２支持ポールは以下の通りの構成とすることが可能である。第１支持ポールは、脚部１０の右側面に位置するＸ字脚１１の上記二つのポールのうちの一方のポールの背面側の上端部及び他方のポールの背面側の下端部の少なくとも一方に直接的又は間接的に固定されている。第２支持ポールは、脚部１０の左側面に位置するＸ字脚１１の上記二つのポールのうちの一方のポールの背面側の上端部及び他方のポールの背面側の下端部の少なくとも一方に直接的又は間接的に固定されている。第１支持ポール及び第２支持ポールのＸ字脚１１よりも各々上側に位置する部分が背もたれ部３０を支持している。
【００３２】
２）脚部１０が、その前面及び背面にＸ字脚１１を有している場合、背もたれ支持部１２は、第１支持ポール及び第２支持ポールを有している。この場合、第１支持ポール及び第２支持ポールは、以下の通りの構成とすることが可能である。第１支持ポールは、脚部１０の背面に位置するＸ字脚１１の上記二つのポールのうちの一方のポールの右側の上端部及び他方のポールの右側の下端部の少なくとも一方に直接的又は間接的に固定されていると良い。第２支持ポールは、前記Ｘ字脚１１の上記二つのポールのうちの一方のポールの左側の上端部及び他方のポールの左側の下端部の少なくとも一方に直接的又は間接的に固定されている。第１支持ポール及び第２支持ポールのＸ字脚１１よりも各々上側に位置する部分が背もたれ部３０を支持している。
【００３３】
３）脚部１０が、その左右側面にＸ字脚１１を有している場合、背もたれ支持部１２は、第１延長ポール及び第２延長ポールを有している。この場合、第１延長ポール及び第２延長ポールは、以下の通りの構成とすることが可能である。第１延長ポールは、脚部１０の右側面に位置するＸ字脚１１の背面側の第１ポール１１ａの上端部又は第２ポール１１ｂの上端部から上側に延びている。第２延長ポールは、脚部１０の左側面に位置するＸ字脚１１の背面側の第１ポール１１ａの上端部又は第２ポール１１ｂの上端部から上側に延びている。第１延長ポール及び第２延長ポールが背もたれ部３０を支持している。
【００３４】
４）脚部１０が、その前面及び背面にＸ字脚１１を有している場合、背もたれ支持部１２は、第１延長ポール及び第２延長ポールを有している。この場合、第１延長ポールは、脚部１０の背面に位置するＸ字脚１１の第１ポール１１ａの右側の上端部又は第２ポール１１ｂの右側の上端部から上側に延びている。第２延長ポールは、脚部１０の背面に位置するＸ字脚１１の第２ポール１１ｂの左側の上端部又は第１ポール１１ａの左側の上端部から上側に延びている。第１延長ポール及び第２延長ポールが背もたれ部３０を支持している。
【００３５】
背もたれ支持部１２は連結部を更に有する構成とすることが可能である。背もたれ支持部１２の連結部は、第１支持ポールと第２支持ポールとを連結している又は第１延長ポールと第２延長ポールとを連結している。
【００３６】
テーブルＴ１は、椅子Ｃの上記何れかの態様のＸ字脚１１の第１ポール１１ａ及び第２ポール１１ｂに着脱可能である。テーブルＴ１は、テーブル本体１００と、第１フック２００ａと、第２フック２００ｂとを備えている。なお、図３Ａ及び図３ＢのＺ−Ｚ’方向は、テーブルＴ１のテーブル本体１００の厚み方向であって、特許請求の範囲の第２方向に相当している。図３Ａ〜図３ＣのＹ−Ｙ’方向は、特許請求の範囲の第１方向に相当しており、且つＺ−Ｚ’方向に直交している。図３Ａ〜図３ＣのＸ−Ｘ’方向は、特許請求の範囲の第３方向に相当ており、且つＹ−Ｙ’方向及びＺ−Ｚ’方向に直交している。なお、図３Ｃでは、椅子Ｃの第１ポール１１ａ及び第２ポール１１ｂが破線で示されている。
【００３７】
テーブル本体１００は、樹脂製、金属製（例えば、アルミニウム製）、合金（例えば、ステンレス製）又は木製のプレートであれば良い。テーブル本体１００には、カップ、皿等を収容するための収容凹部及び／又は貫通孔が設けられていても良いが、これに限定されることはない。
【００３８】
第１フック２００ａ及び第２フック２００ｂは、テーブル本体１００にＹ−Ｙ’方向に間隔をあけて設けられている。例えば、第１フック２００ａ及び第２フック２００ｂは、図３Ａ〜図３Ｂに示されているように、テーブル本体１００のＸ方向の端部にＹ−Ｙ’方向に間隔をあけて設けられていても良い。又は、第１フック２００ａがテーブル本体１００のＹ方向の端部に設けられ、第２フック２００ｂがテーブル本体１００のＹ’方向の端部に設けられていても良い。何れの場合も、第１フック２００ａは、第２フック２００ｂに対してＹ方向側に位置し、第２フック２００ｂは、第１フック２００ａに対してＹ’方向側に位置している。
【００３９】
図３Ａ〜図３Ｂに示されているように、第１フック２００ａはテーブル本体１００に沿ってＹ−Ｙ’方向に延び、且つ第２フック２００ｂはテーブル本体１００に沿ってＹ−Ｙ’方向に延びた構成とすることが可能であるが、これに限定されることはない。例えば、第１フック２００ａは、テーブル本体１００に対して斜め（例えば、Ｙ方向及びＺ’方向の成分を含む方向）になるように延び、且つ第２フック２００ｂはテーブル本体１００に対して斜め（例えば、Ｙ’方向及びＺ’方向の成分を含む方向）になるように延びていても良い。
【００４０】
第１フック２００ａは第１係合凹部２１０ａを有し、且つ第２フック２００ｂは第２係合凹部２１０ｂを有している。第１係合凹部２１０ａと第２係合凹部２１０ｂは、Ｙ−Ｙ’方向において互いに逆向きになっている。第１係合凹部２１０ａは第１フック２００ａと同方向に延びてＹ方向に開口し、且つ第２係合凹部２１０ｂは第２フック２００ｂと同方向に延びてＹ’方向に開口している。
【００４１】
第１係合凹部２１０ａは第１フック２００ａをＺ−Ｚ’方向に貫通しており、且つ第２係合凹部２１０ｂは第２フック２００ｂをＺ−Ｚ’方向に貫通している。第２係合凹部２１０ｂは、Ｘ−Ｘ’方向において第１係合凹部２１０ａよりも少なくともＸ字脚１１の第１ポール１１ａの短手方向の寸法分、当該Ｘ字脚１１の第２ポール１１ｂ側（すなわち、Ｘ’方向側）に位置している。Ｘ字脚１１の第１ポール１１ａと第２ポール１１ｂとの間の交差部に少なくとも一つの緩衝材が介在している場合、第２係合凹部２１０ｂは、Ｘ−Ｘ’方向において第１係合凹部２１０ａよりもＸ字脚１１の第１ポール１１ａの短手方向の寸法と少なくとも一つの緩衝材の前記短手方向の寸法との和の分、当該Ｘ字脚１１の第２ポール１１ｂ側に位置している。このような第１係合凹部２１０ａ及び第２係合凹部２１０ｂの構成によって、第１係合凹部２１０ａ内にＸ字脚１１の第１ポール１１ａが、第２係合凹部２１０ｂ内に当該Ｘ字脚１１の第２ポール１１ｂが各々係合可能となっている。
【００４２】
なお、第１ポール１１ａの短手方向は、第１ポール１１ａ及び第２ポール１１ｂの並び方向にも相当する。第１ポール１１ａが円柱状のポールである場合、第１ポール１１ａの短手方向の寸法は、第１ポール１１ａの直径である。
【００４３】
第１係合凹部２１０ａのＸ−Ｘ’方向の寸法は、第１ポール１１ａの短手方向の寸法と略同じ又は大きければ良い。第２係合凹部２１０ｂのＸ−Ｘ’方向の寸法は、第２ポール１１ｂの短手方向の寸法と略同じ又は大きければ良い。例えば、第１係合凹部２１０ａのＸ−Ｘ’方向の寸法及び第２係合凹部２１０ｂのＸ−Ｘ’方向の寸法は、下記１）〜３）の何れかとすることが可能である。
【００４４】
１）第１係合凹部２１０ａのＸ−Ｘ’方向の寸法は、第１ポール１１ａの短手方向の寸法よりも若干大きい。第２係合凹部２１０ｂのＸ−Ｘ’方向の寸法は、第２ポール１１ｂの短手方向の寸法より若干大きい。
【００４５】
２）第１係合凹部２１０ａが、異なる複数のＸ−Ｘ’方向の寸法を有していても良い。この第１係合凹部２１０ａの異なる複数のＸ−Ｘ’方向の寸法の部分が、開放側から閉塞側へＸ−Ｘ’方向の寸法が順次小さくなるように配置されている。第２係合凹部２１０ｂが、異なる複数のＸ−Ｘ’方向の寸法を有していても良い。この第２係合凹部２１０ｂの異なる複数のＸ−Ｘ’方向の寸法の部分は、開放側から閉塞側へＸ−Ｘ’方向の寸法が順次小さくなるように配置されている。図１Ａ〜図１Ｂ及び図３Ａ〜図３Ｃでは、第１係合凹部２１０ａは、閉塞側の部分と、開放側の部分とを有し、且つ第２係合凹部２１０ｂは、閉塞側の部分と、開放側の部分とを有している。第１係合凹部２１０ａの閉塞側の部分のＸ−Ｘ’方向の寸法は第１ポール１１ａの短手方向の寸法よりも若干大きく、第１係合凹部２１０ａの開放側の部分のＸ−Ｘ’方向の寸法は、第１係合凹部２１０ａの閉塞側の部分のＸ−Ｘ’方向の寸法よりも大きい。第２係合凹部２１０ｂの閉塞側の部分のＸ−Ｘ’方向の寸法は、第２ポール１１ｂの短手方向の寸法よりも若干大きく、第２係合凹部２１０ｂの開放側の部分のＸ−Ｘ’方向の寸法は第２係合凹部２１０ｂの閉塞側の部分のＸ−Ｘ’方向の寸法よりも大きい。
【００４６】
３）第１係合凹部２１０ａのＸ方向の端面とＸ’方向の端面との間の間隔が、第１係合凹部２１０ａの開放側から第１係合凹部２１０ａの閉塞側にかけてＹ’方向に漸次低減している。第２係合凹部２１０ｂのＸ方向の端面とＸ’方向の端面との間の間隔が、第２係合凹部２１０ｂの開放側から第２係合凹部２１０ｂの閉塞側にかけてＹ方向に漸次低減している。
【００４７】
第１フック２００ａは第１当接部２２０ａを更に有し、第２フック２００ｂは第２当接部２２０ｂを更に有している。第１当接部２２０ａ及び第２当接部２２０ｂは、下記１）又は２）の構成とすることが可能である。
【００４８】
１）第１当接部２２０ａは第１フック２００ａの第１係合凹部２１０ａのＹ’方向の端部（第１係合凹部２１０ａの底部）であり、且つ第２当接部２２０ｂは第２フック２００ｂの第２係合凹部２１０ｂのＹ方向の端部（第２係合凹部２１０ｂの底部）である。第１当接部２２０ａと第２当接部２２０ｂとのＹ−Ｙ’方向の距離は、Ｘ字脚１１の第１ポール１１ａの上端部と当該Ｘ字脚１１の第２ポール１１ｂの上端部との間の距離よりも小さいと良い。
【００４９】
２）第１当接部２２０ａは、第１係合凹部２１０ａのＸ方向の端面の一部及びＸ’方向の端面の一部を有する構成とすることが可能である。具体的には、第１係合凹部２１０ａのＸ方向の端面及びＸ’方向の端面のうち、その間の間隔が第１ポール１１ａの短手方向の寸法と略同じ又は若干小さい部分を第１当接部２２０ａとすることが可能である。第２当接部２２０ｂも、第２係合凹部２１０ｂのＸ方向の端面の一部及びＸ’方向の端面の一部を有する構成とすることが可能である。具体的には、第２係合凹部２１０ｂのＸ方向の端面及びＸ’方向の端面のうち、その間の間隔が第２ポール１１ｂの短手方向の寸法と略同じ又は若干小さい部分を第２当接部２２０ｂとすることが可能である。
【００５０】
上記１）及び２）の何れの構成である場合も、第１当接部２２０ａが第１係合凹部２１０ａ内に挿入されたＸ字脚１１の第１ポール１１ａに当接し、第２当接部２２０ｂが第２係合凹部２１０ｂ内に挿入された当該Ｘ字脚１１の第２ポール１１ｂに当接することによって、テーブルＴ１がＸ字脚１１に支持される。
【００５１】
なお、第１当接部２２０ａ及び第２当接部２２０ｂが２）の構成である場合、第１当接部２２０ａが第１フック２００ａの第１係合凹部２１０ａのＹ’方向の端部を更に有し、且つ第２当接部２２０ｂが第２フック２００ｂの第２係合凹部２１０ｂのＹ方向の端部を更に有する構成とすることが可能である。この場合、第１係合凹部２１０ａのＸ方向の端面のＹ’方向の端部、第１係合凹部２１０ａのＸ’方向の端面のＹ’方向の端部、及び第１係合凹部２１０ａのＹ’方向の端部が第１当接部２２０ａとして、第１係合凹部２１０ａに挿入された第１ポール１１ａに当接する。第２係合凹部２１０ｂのＸ方向の端面のＹ方向の端部、第２係合凹部２１０ｂのＸ’方向の端面のＹ方向の端部、及び第２係合凹部２１０ｂのＹ方向の端部が第２当接部２２０ｂとして、第２係合凹部２１０ｂに挿入された第１ポール１１ａに当接する。
【００５２】
以下、上記した何れかの態様のテーブルＴ１を上記した何れかの態様の椅子Ｃに取り付ける手順について詳しく説明する。テーブルＴ１を椅子ＣのＸ字脚１１の第１ポール１１ａと第２ポール１１ｂとの交差部の上側に配置する。そして、テーブルＴ１の第１係合凹部２１０ａを第１ポール１１ａに、第２係合凹部２１０ｂを第２ポール１１ｂに各々位置合わせしつつ、第１フック２００ａの第１係合凹部２１０ａ内に第１ポール１１ａを、第２フック２００ｂの第２係合凹部２１０ｂ内に第２ポール１１ｂを挿入する。すると、第１ポール１１ａが第１フック２００ａの第１当接部２２０ａに当接し、第２ポール１１ｂが第２フック２００ｂの第２当接部２２０ｂに当接する。このようにしてテーブルＴ１がＸ字脚１１に取り付けられ、支持される。
【００５３】
以下、上記した何れかの態様のテーブルＴ１を上記した何れかの態様の椅子Ｃから取り外す手順について詳しく説明する。テーブルＴ１を椅子Ｃの少なくとも一つのＸ字脚１１に対して相対的に上方に移動させる。すると、Ｘ字脚１１の第１ポール１１ａが第１フック２００ａの第１当接部２２０ａから離れ、当該Ｘ字脚１１の第２ポール１１ｂが第２フック２００ｂの第２当接部２２０ｂから離れる。そして、第１ポール１１ａが第１フック２００ａの第１係合凹部２１０ａから脱すると共に、第２ポール１１ｂが第２フック２００ｂの第２係合凹部２１０ｂから脱する。このようにしてテーブルＴ１がＸ字脚１１から取り外される。
【００５４】
以上のようなテーブルＴ１及び椅子Ｃによる場合、以下の技術的特徴を有している。第１に、上記のとおり、少なくとも一つのＸ字脚１１を備える椅子Ｃに、テーブルＴ１を簡単に後付けでき且つ取り外すことができる。
【００５５】
第２に、テーブルＴ１の厚み寸法を低減することができる。第１フック２００ａ及び第２フック２００ｂがテーブル本体１００に沿って延びている場合、第１フック２００ａ及び第２フック２００ｂのＺ−Ｚ’方向の寸法の分、テーブルＴ１の厚み寸法（Ｚ−Ｚ’方向の寸法）が増大することを防ぐことができる。
【００５６】
第３に、第１当接部２２０ａが、第１係合凹部２１０ａのＸ方向の端面のＹ’方向の端部及び第１係合凹部２１０ａのＸ’方向の端面のＹ’方向の端部を有し、第２当接部２２０ｂが、第２係合凹部２１０ｂのＸ方向の端面のＹ方向の端部及び第２係合凹部２１０ｂのＸ’方向の端面のＹ方向の端部を有する場合、第１フック２００ａの第１係合凹部２１０ａに第１ポール１１ａが、第２フック２００ｂの第２係合凹部２１０ｂに第２ポール１１ｂが各々係合された状態が安定する。第１係合凹部２１０ａのＸ方向の端面のＹ’方向の端部及び第１係合凹部２１０ａのＸ’方向の端面のＹ’方向の端部がＸ−Ｘ’方向の両側から第１ポール１１ａに当接し、第２係合凹部２１０ｂのＸ方向の端面のＹ方向の端部及び第２係合凹部２１０ｂのＸ’方向の端面のＹ方向の端部がＸ−Ｘ’方向の両側から第２ポール１１ｂに当接するからである。又は、第１当接部２２０ａが、第１係合凹部２１０ａのＸ方向の端面のＹ’方向の端部、第１係合凹部２１０ａのＸ’方向の端面のＹ’方向の端部及び第１係合凹部２１０ａのＹ’方向の端部を有し、第２当接部２２０ｂが、第２係合凹部２１０ｂのＸ方向の端面のＹ方向の端部、第２係合凹部２１０ｂのＸ’方向の端面のＹ方向の端部及び第２係合凹部２１０ｂのＹ方向の端部を有する場合、第１フック２００ａの第１係合凹部２１０ａに第１ポール１１ａが、第２フック２００ｂの第２係合凹部２１０ｂに第２ポール１１ｂが各々係合された状態が更に安定する。第１係合凹部２１０ａのＸ方向の端面のＹ’方向の端部及び第１係合凹部２１０ａのＸ’方向の端面のＹ’方向の端部がＸ−Ｘ’方向の両側から第１ポール１１ａに当接すると共に、第１係合凹部２１０ａのＹ’方向の端部がＹ’方向側から第１ポール１１ａに当接し、第２係合凹部２１０ｂのＸ方向の端面のＹ方向の端部、及び第２係合凹部２１０ｂのＸ’方向の端面のＹ方向の端部がＸ−Ｘ’方向の両側から第２ポール１１ｂに当接すると共に、第２係合凹部２１０ｂのＹ方向の端部がＹ方向側から第２ポール１１ｂに当接するためである。
【実施例２】
【００５７】
以下、本発明の別の複数の実施例に係るテーブルＴ２について図４Ａ及び図４Ｂを参照しつつ詳しく説明する。なお、図４Ａ及び図４Ｂでは、前記実施例のうちの一つの実施例（実施例２）が示されている。図４Ａ及び図４Ｂにも、Ｚ−Ｚ’方向、Ｙ−Ｙ’方向及びＸ−Ｘ’方向が、上記実施例１と同様に表されている。Ｚ’方向が、特許請求の範囲の第３方向の一方に相当する。
【００５８】
テーブルＴ２は、上記した椅子Ｃの少なくとも一つのＸ字脚１１の第１ポール１１ａ及び第２ポール１１ｂに着脱可能である。テーブルＴ２は、テーブル本体１００と、第１フック３００ａと、第２フック３００ｂとを備えている。テーブル本体１００は上記の通りである。
【００５９】
第１フック３００ａ及び第２フック３００ｂは、図４Ａ〜図４Ｂに示されているように、テーブル本体１００のＸ方向の端部にＹ−Ｙ’方向に間隔をあけて設けられている。第１フック３００ａは、第２フック３００ｂに対してＹ方向側に位置し、第２フック３００ｂは、第１フック３００ａに対してＹ’方向側に位置している。
【００６０】
第１フック３００ａ及び第２フック３００ｂは各々Ｚ−Ｚ’方向に延びた構成とすることが可能であるが、これに限定されることはない。例えば、第１フック３００ａは、Ｚ−Ｚ’方向の成分を含む斜め方向（例えば、Ｚ−Ｚ’方向及びＹ−Ｙ’方向の成分を含む方向）に延び、且つ第２フック３００ｂはＺ−Ｚ’方向の成分を含む斜め方向（例えば、Ｚ−Ｚ’方向及びＹ−Ｙ’方向の成分を含む方向）に延びていても良い。
【００６１】
第１フック３００ａは第１係合凹部３１０ａを有し、且つ第２フック３００ｂは第２係合凹部３１０ｂを有している。第１係合凹部３１０ａ及び第２フック３００ｂは、同じ方向に向いている。具体的には、第１係合凹部３１０ａは、第１フック３００ａをＹ−Ｙ’方向に貫通しており且つＺ’方向に開口している。第２係合凹部３１０ｂは、第２フック３００ｂをＹ−Ｙ’方向に貫通しており且つＺ’方向に開口している。第２係合凹部３１０ｂは、Ｘ−Ｘ’方向において第１係合凹部３１０ａよりも少なくともＸ字脚１１の第１ポール１１ａの短手方向の寸法分、当該Ｘ字脚１１の第２ポール１１ｂ側（すなわち、Ｘ’方向側）に位置している。Ｘ字脚１１の第１ポール１１ａと第２ポール１１ｂとの間の交差部に少なくとも一つの緩衝材が介在している場合、第２係合凹部３１０ｂは、Ｘ−Ｘ’方向において第１係合凹部３１０ａよりもＸ字脚１１の第１ポール１１ａの短手方向の寸法と少なくとも一つの緩衝材の前記短手方向の寸法との和の分、当該Ｘ字脚１１の第２ポール１１ｂ側に位置している。このような第１係合凹部３１０ａ及び第２係合凹部３１０ｂの構成によって、第１係合凹部３１０ａ内にＸ字脚１１の第１ポール１１ａが、第２係合凹部３１０ｂ内に当該Ｘ字脚１１の第２ポール１１ｂが各々係合可能となっている。
【００６２】
第１係合凹部３１０ａのＸ−Ｘ’方向の寸法は、第１ポール１１ａの短手方向の寸法と略同じ又は大きければ良い。第２係合凹部３１０ｂのＸ−Ｘ’方向の寸法は、第２ポール１１ｂの短手方向の寸法と略同じ又は大きければ良い。例えば、第１係合凹部３１０ａのＸ−Ｘ’方向の寸法及び第２係合凹部３１０ｂのＸ−Ｘ’方向の寸法は、下記１）〜３）の何れかとすることが可能である。
【００６３】
１）第１係合凹部３１０ａのＸ−Ｘ’方向の寸法は、第１ポール１１ａの短手方向の寸法よりも若干大きい。第２係合凹部３１０ｂのＸ−Ｘ’方向の寸法は、第２ポール１１ｂの短手方向の寸法より若干大きい。
【００６４】
２）第１係合凹部３１０ａが、異なる複数のＸ−Ｘ’方向の寸法を有していても良い。この第１係合凹部３１０ａの異なる複数のＸ−Ｘ’方向の寸法の部分が、開放側から閉塞側へＸ−Ｘ’方向の寸法が順次小さくなるように配置されている。第２係合凹部３１０ｂが、異なる複数のＸ−Ｘ’方向の寸法を有していても良い。この第２係合凹部３１０ｂの異なる複数のＸ−Ｘ’方向の寸法の部分は、開放側から閉塞側へＸ−Ｘ’方向の寸法が順次小さくなるように配置されている。
【００６５】
３）第１係合凹部３１０ａのＸ方向の端面とＸ’方向の端面との間の間隔が、第１係合凹部３１０ａの開放側から第１係合凹部３１０ａの閉塞側にかけてＺ方向に漸次低減している。第２係合凹部３１０ｂのＸ方向の端面とＸ’方向の端面との間の間隔が、第２係合凹部３１０ｂの開放側から第２係合凹部３１０ｂの閉塞側にかけてＺ方向に漸次低減している。
【００６６】
第１フック３００ａは第１当接部３２０ａを更に有し、且つ第２フック３００ｂは第２当接部３２０ｂを更に有している。第１当接部３２０ａ及び第２当接部３２０ｂは、下記１）又は２）の構成とすることが可能である。
【００６７】
１）第１当接部３２０ａは、第１フック３００ａの第１係合凹部３１０ａのＺ方向の端部（第１係合凹部３１０ａの底部）である。第２当接部３２０ｂは、第２フック３００ｂの第２係合凹部３１０ｂのＺ方向の端部（第２係合凹部３１０ｂの底部）である。第１当接部３２０ａと第２当接部３２０ｂとのＹ−Ｙ’方向の距離は、Ｘ字脚１１の第１ポール１１ａの上端部と当該Ｘ字脚１１の第２ポール１１ｂの上端部との間の距離よりも小さい。
【００６８】
２）第１当接部３２０ａは、第１係合凹部３１０ａのＸ方向の端面の一部及びＸ’方向の端面の一部を有する構成とすることが可能である。具体的には、第１係合凹部３１０ａのＸ方向の端面及びＸ’方向の端面のうち、その間の間隔が第１ポール１１ａの短手方向の寸法と略同じ又は若干小さい部分を第１当接部３２０ａとすることが可能である。第２当接部３２０ｂも、第２係合凹部３１０ｂのＸ方向の端面の一部及びＸ’方向の端面の一部を有する構成とすることが可能である。具体的には、第２係合凹部３１０ｂのＸ方向の端面及びＸ’方向の端面のうち、その間の間隔が第２ポール１１ｂの短手方向の寸法と略同じ又は若干小さい部分を第２当接部３２０ｂとすることが可能である。
【００６９】
上記１）及び２）の何れの場合も、第１当接部３２０ａが第１係合凹部３１０ａ内に挿入されたＸ字脚１１の第１ポール１１ａに当接し、第２当接部３２０ｂが第２係合凹部３１０ｂ内に挿入された当該Ｘ字脚１１の第２ポール１１ｂに当接することによって、テーブルＴ２がＸ字脚１１に支持される。
【００７０】
なお、第１当接部３２０ａ及び第２当接部３２０ｂが２）の構成である場合、第１当接部３２０ａは第１フック３００ａの第１係合凹部３１０ａのＺ方向の端部を更に有し、且つ第２当接部３２０ｂは第２フック３００ｂの第２係合凹部３１０ｂのＺ方向の端部を更に有する構成とすることが可能である。この場合、第１係合凹部３１０ａのＸ方向の端面のＺ方向の端部、第１係合凹部３１０ａのＸ’方向の端面のＺ方向の端部、及び第１係合凹部３１０ａのＺ方向の端部が第１当接部３２０ａとして、第１係合凹部３１０ａに挿入された第１ポール１１ａに当接する。第２係合凹部３１０ｂのＸ方向の端面のＺ方向の端部、第２係合凹部３１０ｂのＸ’方向の端面のＺ方向の端部、及び第２係合凹部３１０ｂのＺ方向の端部が第２当接部３２０ｂとして、第２係合凹部３１０ｂに挿入された第１ポール１１ａに当接する。
【００７１】
以下、上記した何れかの態様のテーブルＴ２は、テーブルＴ１と同様の手順で、上記した何れかの態様の椅子Ｃに対して取り付け及び取り外すことができる。
【００７２】
以上のようなテーブルＴ２及び椅子Ｃによる場合、テーブルＴ１及び椅子Ｃの第１及び第３技術的特徴と同様の技術的特徴を有する。
【００７３】
なお、上記した椅子及びテーブルは、上記実施例に限定されるものではなく、特許請求の範囲の記載範囲において任意に設計変更することが可能である。以下、詳しく述べる。
【００７４】
本発明の椅子は、Ｘ字状に互いに交差した第１ポール及び第２ポールを少なくとも備えていれば良い。したがって、本発明の第１ポール及び第２ポールは、互いにＸ字状（卍字状を含む。）に平面的に交差していても良い。この場合、この場合、本発明の第１フックの第１係合凹部及び第２フックの第２係合凹部は、Ｘ−Ｘ’方向において、同じレベルに配置されていると良い。
【００７５】
本発明の第１ポール及び第２ポールは、椅子の脚部以外を構成するものであっても良い。例えば、本発明の椅子が手摺りを備えている場合、手摺りにＸ字状に互いに交差した第１ポール及び第２ポールを設けても良い。又は、第１ポール及び第２ポールは、脚部の背もたれ支持部の第１支持ポール及び第２支持ポール間に設けられていても良いし、背もたれ支持部の第１延長ポール及び第２延長ポール間に設けられていても良い。なお、本願の椅子は、第１ポール及び第２ポールが設けられていない手摺りを備えた構成とすることが可能である。
【００７６】
なお、上記実施例の各態様及び設計変形例における椅子及びテーブルの各構成要素を構成する素材、形状、寸法、数及び配置等はその一例を説明したものであって、同様の機能を実現し得る限り任意に設計変更することが可能である。上記した実施例の各態様及び設計変更例は、互いに矛盾しない限り、相互に組み合わせることが可能である。本発明の椅子は上記した何れかの態様のテーブルを備えた構成とすることが可能である。なお、本発明の第１方向（Ｙ−Ｙ’方向）は、本発明のテーブルのテーブル本体の厚み方向に交差する方向である限り任意に設定可能である。本発明の第２方向（Ｚ−Ｚ’方向）は、本発明のテーブル本体の厚み方向である限り任意に設定可能である。本発明の第３方向（Ｘ−Ｘ’方向）は、第１方向及び第２方向に交差しており且つ第１方向及び第２方向が位置する平面上に位置しない限り任意に設定することができる。
【符号の説明】
【００７７】
Ｃ：椅子
１０：脚部
１１：Ｘ字脚
１１ａ：第１ポール
１１ｂ：第２ポール
１２：背もたれ支持部
２０：座面部
３０：背もたれ部
Ｔ１：テーブル
１００：テーブル本体
２００ａ：第１フック
２１０ａ：第１係合凹部
２２０ａ：第１当接部
２００ｂ：第２フック
２１０ｂ：第２係合凹部
２２０ｂ：第２当接部
Ｔ２：テーブル
１００：テーブル本体
３００ａ：第１フック
３１０ａ：第１係合凹部
３２０ａ：第１当接部
３００ｂ：第２フック
３１０ｂ：第２係合凹部
３２０ｂ：第２当接部
【図１Ａ】
2018019964.tif 000003
【図１Ｂ】
2018019964.tif 000004
【図２Ａ】
2018019964.tif 000005
【図２Ｂ】
2018019964.tif 000006
【図２Ｃ】
2018019964.tif 000007
【図３Ａ】
2018019964.tif 000008
【図３Ｂ】
2018019964.tif 000009
【図３Ｃ】
2018019964.tif 000010
【図４Ａ】
2018019964.tif 000011
【図４Ｂ】
2018019964.tif 000012